(57)【特許請求の範囲】
【請求項１】
工具本体の把持部に伸縮性により着脱自在に取り付けられるゴム製のカバーを備え、
工具本体は、手を上から押し当てる上面を有する把持部としての上部把持部と、外側に向けて延びる延伸部とを備え、
カバーは、工具本体の上部把持部を上側から覆う上部カバー部と、工具本体の延伸部が挿通する被挿通部とを備え、被挿通部を工具本体の延伸部に挿通させた状態で上部カバー部を工具本体の上部把持部に被せるようにして工具本体に装着されることを特徴とする電動工具。
【請求項２】
延伸部は把持部の一部を構成するグリップ部であり、上部把持部は外側に向けて鍔状に張り出した形状であり、
カバーの被挿通部は、工具本体のグリップ部の外周面を覆う筒状の筒状カバー部であり、
カバーの上部カバー部は、下側に開口する開口部を有していて該開口部を拡げるようにして上部把持部に装着される請求項１記載の電動工具。
【請求項３】
グリップ部から電源コードが延びていて、筒状カバー部の端部には開口部が形成されており、カバーは、筒状カバー部に電源コードを通すようにして着脱される請求項２記載の電動工具。
【請求項４】
工具本体に取り付けた際の筒状カバー部の伸び率が上部カバー部の伸び率よりも大きい請求項２又は３記載の電動工具。
【請求項５】
工具本体の把持部に吸気口が形成されており、該吸気口に対応するようにカバーには通気口が形成され、カバーの内面側の通気口の開口縁部にはその全周に亘って凸部が形成されている請求項１乃至４の何れかに記載の電動工具。
【発明の詳細な説明】
【技術分野】
【０００１】
本発明は、電動工具とそのカバーに関する。
【背景技術】
【０００２】
例えば電動サンダを用いて研磨作業を行う際には、電動サンダの把持部を手でしっかりと把持したり押さえたりする。その際の滑り止めのために電動サンダの把持部の表面に滑り止め層を設けることもある。下記特許文献１においては、把持部にエラストマーからなる弾性層を熱溶着により設けている。しかしながら、弾性層は徐々に経年劣化するため、滑り止めの効果も徐々に低下することになる。また、長期の使用によって熱溶着した弾性層が剥がれ落ちることもある。
【先行技術文献】
【特許文献】
【０００３】
【特許文献１】特開２００５−２７９８９１号公報
【発明の概要】
【発明が解決しようとする課題】
【０００４】
それゆえに本発明は上記従来の問題点に鑑みてなされ、把持部の滑り止め効果を長期に亘って維持することができる電動工具とそのカバーを提供することを課題とする。
【課題を解決するための手段】
【０００５】
本発明は上記課題を解決すべくなされたものであって、本発明に係る電動工具は、工具本体の把持部に伸縮性により着脱自在に取り付けられるゴム製のカバーを備えていることを特徴とする。
【０００６】
該構成の電動工具にあっては、工具本体の把持部にゴム製のカバーをその伸縮性を利用して着脱自在に取り付けることができる。従って、例えば取り付けたカバーが長期の使用によって劣化して滑り止め性能が低下したり汚れたりした場合には、それを新品に容易に取り替えることができる。
【０００７】
特に、工具本体は、手を上から押し当てる上面を有する把持部としての上部把持部と、外側に向けて延びる延伸部とを備え、カバーは、工具本体の上部把持部を上側から覆う上部カバー部と、工具本体の延伸部が挿通する被挿通部とを備え、被挿通部を工具本体の延伸部に挿通させた状態で上部カバー部を工具本体の上部把持部に被せるようにして工具本体に装着されることが好ましく、カバーの伸縮性を活かして工具本体に容易に装着できる。
【０００８】
更に、延伸部は把持部の一部を構成するグリップ部であり、上部把持部は外側に向けて鍔状に張り出した形状であり、カバーの被挿通部は、工具本体のグリップ部の外周面を覆う筒状の筒状カバー部であり、カバーの上部カバー部は、下側に開口する開口部を有していて該開口部を拡げるようにして上部把持部に装着されることが好ましく、カバーの高い密着性が得られる。
【０００９】
また更に、グリップ部から電源コードが延びていて、筒状カバー部の端部には開口部が形成されており、カバーは、筒状カバー部に電源コードを通すようにして着脱されることが好ましく、カバーを電源コードから容易に着脱できる。
【００１０】
また、工具本体に取り付けた際の筒状カバー部の伸び率が上部カバー部の伸び率よりも大きいことが好ましい。尚、（伸び率）＝（周長の差）／（工具本体の外周面の周長）であり、（周長の差）＝（工具本体の外周面の周長）−（カバーの内周面の周長）である。周長の差は、筒状カバー部においては、工具本体のグリップ部の外周面の周長と、筒状カバー部の内周面の周長との差であり、上部カバー部においては、上下方向の切断面で切断した断面視における、工具本体の上部把持部の外面の周長と、上部カバー部の内面の周長との差である。ここで、筒状カバー部の内周面の周長及び上部カバー部の内面の周長は、カバーが工具本体の把持部に取り付けられる前の状態、即ち、カバーの自然状態のものである。そして、伸び率は、筒状カバー部においては、工具本体のグリップ部の外周面の周長と、筒状カバー部の内周面の周長との差を、工具本体のグリップ部の外周面の周長で除したものであり、上部カバー部においては、上下方向の切断面で切断した断面視における、工具本体の上部把持部の外面の周長と、上部カバー部の内面の周長との差を、工具本体の上部把持部の外面の周長で除したものである。このように、筒状カバー部の伸び率を上部カバー部の伸び率よりも大きくすることで、上部カバー部よりも筒状カバー部の方が工具本体への密着力が大きくなる。従って、高い滑り止め効果が要求されるグリップ部に、筒状カバー部をより一層しっかりと密着させることができる。
【００１１】
また、工具本体の把持部に吸気口が形成されており、該吸気口に対応するようにカバーには通気口が形成され、カバーの内面側の通気口の開口縁部にはその全周に亘って凸部が形成されていることが好ましい。カバーの内面側、即ち、カバーの裏面側における通気口の開口縁部に、その開口縁部の全周に亘って凸部が形成されることで、通気口の周囲が局所的に厚肉部となって補強される。従って、カバーが通気口の開口縁部を起点として破れることを防止できる。また、カバーの内面側であって通気口の開口縁部に凸部を設けることによって、カバーの過度の伸張を防止でき、所定位置にカバーを正確に取り付けることができ、工具本体の吸気口に対するカバーの通気口の位置ずれを抑制できる。更に、凸部によってカバーの内面のうち通気口の開口縁部が他の部分に比して局所的に厚肉となり、カバーの内面が凹凸形状となるので、工具本体の振動が手に伝わりにくくなって作業が楽になる。
【００１２】
また、本発明に係る電動工具用のカバーは、電動工具の把持部に、伸縮性により着脱自在に取り付けられるゴム製のものである。
【発明の効果】
【００１３】
以上のように、カバーを容易に交換できるので、高い滑り止め効果を容易に維持できる。
【図面の簡単な説明】
【００１４】
【図１】本発明の一実施形態における電動工具（工具本体）を示す斜視図。
【図２】同電動工具を上側から見た平面図。
【図３】同電動工具を側面側から見た図。
【図４】同電動工具を前側から見た正面図。
【図５】同電動工具を後側から見た背面図。
【図６】同電動工具に装着されるカバーを平面側から見た斜視図。
【図７】同カバーを下側から見た斜視図。
【図８】同カバーを上側から見た平面図。
【図９】同カバーを側面側から見た図。
【図１０】同カバーを下側から見た底面図。
【図１１】同カバーを前側から見た正面図。
【図１２】同カバーを後側から見た背面図。
【図１３】図９のＡ−Ａ断面図。
【図１４】図８のＢ−Ｂ断面図。
【図１５】（ａ）は図８のＣ−Ｃ断面図、（ｂ）は図８のＤ−Ｄ断面図。
【図１６】同電動工具にカバーを装着した状態を示す上側から見た平面図。
【図１７】同電動工具にカバーを装着した状態を示す側面側から見た図。
【図１８】図１６のＥ−Ｅ断面図。
【図１９】図１６のＦ−Ｆ断面図。
【図２０】図１６のＧ−Ｇ断面図。
【図２１】同電動工具にカバーを装着する途中の状態を示す側面側から見た図。
【発明を実施するための形態】
【００１５】
以下、本発明の一実施形態にかかる電動工具１（工具本体）とそれに装着されるカバー２について図１〜図２１を参酌しつつ説明する。電動工具１は種々のものであってよいが、本実施形態では電動サンダを例示している。電動サンダの種類も種々であってよく、オービタルサンダやランダムサンダ、ベルトサンダ、ディスクサンダ等、種々のサンダであってよいが、本実施形態ではオービタルサンダを例示する。特に、その研磨部が四角形状のものを例示するが、三角形状であってもよい。また、両手で把持する電動サンダであってもよいが、本実施形態では特に片手で把持するタイプ、いわゆるパームサンダを例示する。
【００１６】
＜電動工具１（工具本体）＞
まず電動工具１（工具本体）から説明すると、電動工具１は、モータ１０（図１８及び図１９参照）と、該モータ１０を収容するハウジング１１と、該モータ１０によって駆動される研磨部としての研磨プレート１２を備えている。モータ１０は、その軸線が上下方向となるようにしてハウジング１１に収容されており、従って、モータ１０の主軸１３は上下方向に沿っている。モータ１０の駆動力は、公知の伝達機構を介して主軸１３から研磨プレート１２に伝達される。ハウジング１１の下端は開口しており、ハウジング１１の下側に研磨プレート１２が位置している。研磨プレート１２の下面には図示しないサンドペーパー等の研磨紙が着脱自在に取り付けられる。研磨プレート１２はモータ１０の主軸１３に対して偏心して設置されていて、下面と平行な面内で揺動する。尚、本実施形態において研磨プレート１２は左右方向に若干長い横長の長方形状となっているが、前後方向に長い縦長の長方形状であってもよいし、正方形状であってもよい。
【００１７】
＜ハウジング１１＞
ハウジング１１は、上端閉口、下端開口の全体として筒状に形成されており、上部、中部、下部の三つの部位に区分できる。即ち、ハウジング１１は、図１〜図５のように、中部としての胴部２１と、該胴部２１の上側に位置する上部としての把持部２０と、胴部２１の下側に位置する下部としてのスカート部２２とから構成される。胴部２１は略円筒状である。スカート部２２は、胴部２１よりも大きく、胴部２１の下端部から下方に向けて徐々に拡開しつつ延びた後、そこから更に下方に向けて垂直に延びている。スカート部２２は、胴部２１に対して、前後方向と左右方向の二方向共に均等に大きくなっている。スカート部２２は、研磨プレート１２の形状に合わせて平面視あるいは底面視において矩形であって本実施形態では正方形状となっている。尚、図２のように、平面視において、研磨プレート１２はスカート部２２の下端部よりも大きく、前後方向の寸法及び左右方向の寸法の何れにおいても長い。尚、把持部２０にはハウジング１１内に空気を取り込むための吸気口１４が形成されており、具体的には、後述する上部把持部２３の上面、左右両側面及びグリップ部２４の下面に吸気口１４が形成されている。また、スカート部２２の下部、具体的には、左右両側にはそれぞれハウジング１１内の空気を排出するための排気口１５が形成されている。そして、吸気口１４から入った空気がハウジング１１内を下向きに流れて排気口１５から排出され、このハウジング１１内の空気の流れによってモータ１０が冷却される。
【００１８】
＜把持部２０＞
把持部２０は、胴部２１の上端部に対して全周に亘って水平方向外側に向けて出っ張った形状となっている。該把持部２０は、胴部２１の直ぐ上側に位置して、作業時にその上面に手が上から押し当てられる上部把持部２３と、該上部把持部２３から後側に向けて延びて作業時に握られるグリップ部２４とから構成されている。
【００１９】
＜上部把持部２３＞
上部把持部２３は、胴部２１の上端部に対して後部を除く全周、即ち、前側及び左右両側において、外側に向けて鍔状に張り出した形状となっている。詳細には、図３のように、上部把持部２３の前部は、胴部２１よりも前側に突出している。また、図４及び図５のように、上部把持部２３の左右両側部は、胴部２１よりも左右両側にそれぞれ突出している。但し、上部把持部２３の前部における胴部２１からの突出量は、上部把持部２３の左右両側部における胴部２１からの突出量よりも大きく、上部把持部２３の左右両側部における胴部２１からの突出量は互いに等しい。図２のように、上部把持部２３は、平面視において、左右方向よりも前後方向に長い略卵形となっている。尚、上部把持部２３の左右両側部と胴部２１との境界部分には内側に凹んだ括れ部２５がそれぞれ形成されている。
【００２０】
また、上部把持部２３の上面は、図４、図５及び図１９のように、上下方向且つ左右方向に沿った切断面で切断した断面視において、上側凸に湾曲しているが、その湾曲の程度は小さく、左右方向を長軸とし上下方向を短軸とする上半分の半楕円形状や左右方向に長い半長円形状等である。また、上部把持部２３の上面は、図３及び図１８のように、モータ１０の回転中心を通る上下方向且つ前後方向に沿った切断面で切断した断面視においては、後部から前部にかけて僅かに且つ緩やかに下降している。尚、把持部２０の前端部には、前側に開口する開口部２６が形成されていて、その開口部２６から、モータ１０を作動、停止するためのＯＮ／ＯＦＦスイッチ１６が表出している。本実施形態において、ＯＮ／ＯＦＦスイッチ１６は、左右のシーソータイプである。従って、開口部２６はそれに対応して左右方向に長い形状となっている。
【００２１】
＜グリップ部２４＞
グリップ部２４は、上部把持部２３の後部から後側に向けて連続的に延びている。グリップ部２４は、前後方向の軸線を有する筒状であって、その内部空間は上部把持部２３のそれと一体であって且つ、後端が開口している。グリップ部２４は、図３及び図１８のように、後側に向けて水平に延びている。グリップ部２４は、図２のように平面視において、後側に向けて徐々に左右方向の寸法（幅）が細くなっている。即ち、グリップ部２４の幅は、上部把持部２３から離れる程狭くなり、上部把持部２３に近づく程広くなっている。また、グリップ部２４の外周面の上部は、図３のように、上部把持部２３の上面から段差なく連続的になだらかに延びていて、外周面の上部の前部から後部にかけては僅かに下降している。尚、グリップ部２４の後部には、段差部２７が全周に亘って形成されており、その段差部２７よりも後側の部分は前側の部分に比して一段細くなっている。段差部２７の下半分の領域は前後方向に対して即ちグリップ部２４の軸線方向に対して垂直であるのに対し、段差部２７の上半分の領域は前側に向けて傾斜して延びている。
【００２２】
グリップ部２４の内側を電源コード１７が挿通していて、電源コード１７はグリップ部２４の後端部から後側に延びている。具体的には、図１８のように、グリップ部２４の後部の内側には筒状のコードホルダ１８の前部が嵌め込まれており、そのコードホルダ１８の内側を電源コード１７が通っている。尚、コードホルダ１８も後側に向けて水平に延びている。
【００２３】
尚、ハウジング１１は、例えばポリアミド（ＰＡ）等の硬質の合成樹脂製であって、射出成形により形成される。本実施形態において、ハウジング１１は、上下二つのパーツから構成されており、上下両端開口の下部ハウジング１１ａと、該下部ハウジング１１ａの上端開口部を閉塞する上部ハウジング１１ｂとから構成される。下部ハウジング１１ａは、把持部２０の下部（下半分の領域）と胴部２１とスカート部２２を構成しており、上部ハウジング１１ｂは把持部２０の上部（上半分の領域）を構成している。但し、ハウジング１１が左右二つのパーツから構成されてもよく、その具体的構成は任意である。
【００２４】
＜カバー２＞
図６〜図１５にカバー２を示している。カバー２は、一つの部材から構成されていて電動工具１の把持部２０の一部を除く略全体を覆うように形成されており、上部把持部２３を上側から覆う上部カバー部３３と、グリップ部２４の外周面を覆う筒状カバー部３４とからなる。カバー２は、ゴム製であって、好ましくはシリコンゴム製であり、透明、不透明の何れであってもよい。カバー２は、それ自体の伸縮性を利用して把持部２０に装着される。
【００２５】
＜上部カバー部３３＞
上部カバー部３３は、上部把持部２３の外面に対応した形状となっていて、全体として略逆椀状である。上部カバー部３３の前端部には、図１１のようにＯＮ／ＯＦＦスイッチ１６を露出させるためにスイッチ用開口部３５が形成されている。但し、このスイッチ用開口部３５は任意であって、ＯＮ／ＯＦＦスイッチ１６を覆うようにしてもよい。上部カバー部３３の下面には下側に開口した下方開口部３６が形成されている。該下方開口部３６は上部カバー部３３を上部把持部２３に上側から被せる際に拡げられる。尚、図９及び図１４のように、下方開口部３６の開口縁部は、前端部と後端部において低く前後方向中央部において高くなるように、前後方向両端部から前後方向中央部にかけて上側凸に湾曲している。また、下方開口部３６は、図１０のように、前後方向の長さが左右方向の長さよりも若干大きい楕円形状となっている。上部カバー部３３は、図９及び図１０のように、上下方向中央部において最も外側に拡がった形状となっていて、そこから下方開口部３６に向けて徐々に内側に縮径していく形状となっている。また、図１４及び図１５（ａ）に示しているように、下方開口部３６の開口縁部の内周面には、内側に向けて環状の突条３８が突設されている。
【００２６】
＜筒状カバー部３４＞
筒状カバー部３４は、グリップ部２４の外周面に対応した形状となっていて筒状である。筒状カバー部３４は上部カバー部３３から後側に向けて連続的に延びていて、平面視において後側に向けて徐々に細くなっている。筒状カバー部３４の後端部には、図１２のように、後方開口部３９が形成されている。後方開口部３９は、グリップ部２４の段差部２７の形状に対応していて、段差部２７と同様に、その下半分の領域は前後方向に対して即ち筒状カバー部３４の軸線方向に対して垂直であるのに対し、上半分の領域は前側に向けて傾斜して延びている。そして、図１４のように、後方開口部３９の開口縁部の上半分の領域には、内側（中心側）に向けて傾斜して延びる斜状係止部４１が形成され、後方開口部３９の開口縁部の下半分の領域の内周面には、内側（中心側）に向けて突出した係止突条４２が周方向に沿って形成されている。また、図９及び図１４のように、後方開口部３９の開口縁部の下半分の領域の外周面には、外側に向けて突出した鍔部４３が周方向に沿って形成されている。尚、鍔部４３の突出量は、最下部において最も大きく、そこから左右両側に向けて徐々に小さくなっていき、上下方向中央部（左右両側部）において略０となっている。
【００２７】
カバー２には、内外方向に貫通した通気口５０が多数形成されている。通気口５０は、把持部２０において吸気口１４が形成されている部分又はその近傍に対応した箇所に形成されており、具体的には、図８〜図１０のように上部カバー部３３の上面前部と左右両側面下部、及び、グリップ部２４の下部に、それぞれ多数形成されている。カバー２の通気口５０の配置領域を把持部２０の吸気口１４の配置領域に対して大きくする、例えば一回り大きくすることが好ましく、カバー２の取付位置が設計上の位置から位置ずれしたとしても吸気口１４からの空気の流入量の減少を最小限に抑えることができる。また、カバー２の外面には滑り止め用の突条５１が形成されている。具体的には、図８のように上部カバー部３３の上面後部の左右両側位置からグリップ部２４の上部にかけて滑り止め用の突条５１が左右複数本ずつ左右対称配置で形成されている。滑り止め用の突条５１は、グリップ部２４の後方開口部３９の近傍まで延びている。
【００２８】
更に、カバー２の内面には、多数の凸部５２，５３が形成されている。該凸部５２，５３は、図１３のように主として内面上部に形成されており、上部カバー部３３から筒状カバー部３４にかけて広い範囲に形成されている。尚、凸部５２，５３は、図１４のように一部において内面側部まで形成されているが、少なくとも下半分領域には形成されていない。このように、カバー２の内面上部には凸部５２，５３が形成されている一方内面下部には凸部５２，５３が形成されていないので、カバー２の上部は相対的に剛性が高くて伸縮しにくく下部は相対的に剛性が低くて伸縮しやすくなっている。凸部５２，５３の種類、形状は任意であって、円柱状や角柱状等の独立した島状のものであってもよいが、本実施形態では、前後方向に対して左右に４５度傾斜して延びる二方向の突条リブ５２と、互いに外周面において部分的に繋がった多数の円筒状リブ５３とが形成されている。
【００２９】
円筒状リブ５３は、上部カバー部３３の上面前部に形成された多数の通気口５０に対応して形成されている。即ち、円筒状リブ５３は、カバー２の内面における通気口５０の開口縁部に形成されていて、該円筒状リブ５３がカバー２の内面に突設されることで開口縁部の全周に局所的な厚肉部が環状に形成されることになる。そして、隣り合う円筒状リブ５３同士が、その全周のうちの一部において繋がって連続している。カバー２の通気口５０の形成領域の全体が均一に厚肉となるのではなく、個々の通気口５０の開口縁部のみが円筒状リブ５３によって局所的に厚肉となり、円筒状リブ５３同士の間には相対的に薄肉となった凹部が形成される。即ち、円筒状リブ５３が凸、円筒状リブ５３同士の間の部分が凹となり、カバー２の内面に凹凸形状が形成される。
【００３０】
このようにカバー２の内面における通気口５０の開口縁部に環状である円筒状リブ５３が形成されることで、通気口５０の周囲が局所的に内面側に向かって厚みを増した厚肉部となって補強されることになる。そのため、カバー２が通気口５０から破れるということを防止することができる。また、カバー２の内面に円筒状リブ５３を設けることで、カバー２を電動工具１に取り付ける際に、カバー２が必要以上に伸びることも防止される。従って、カバー２を所定位置に正確に取り付けることができ、特に、電動工具１の吸気口１４に対するカバー２の通気口５０の位置ずれを抑制することができる。更に、円筒状リブ５３によってカバー２の内面のうち通気口５０の開口縁部がその周囲の部分に比して局所的に厚肉となり、カバー２の内面が凹凸形状となるので、電動工具１の振動が手に伝わりにくくなって作業が楽になる。
【００３１】
また、図１５（ａ）には上部カバー部３３を上下方向且つ左右方向に沿った切断面で切断した断面図を示しているが、上部カバー部３３の内面の一端（例えば下方開口部３６の開口縁部の左端）から他端（例えば下方開口部３６の開口縁部の右端）までの周長は、それに対応した上部把持部２３の位置の外面の被覆領域の周長よりも短い。同様に、図１５（ｂ）には筒状カバー部３４を上下方向且つ左右方向に沿った切断面で切断した断面図を示しているが、筒状カバー部３４の内周面の周長は、それに対応したグリップ部２４の位置の外周面の周長よりも短い。従って、カバー２は伸張状態で把持部２０に装着されることになり、カバー２の内面は把持部２０の外面に密着する。電動工具１にカバー２を取り付けた際において、筒状カバー部３４の伸び率は上部カバー部３３の伸び率よりも大きい。即ち、上部カバー部３３よりも筒状カバー部３４の方が相対的に大きく伸張した状態で取り付けられる。そのため、装着状態においてカバー２の密着力ないし締め付け力は、上部カバー部３３よりも筒状カバー部３４の方が大きくなる。
【００３２】
以上のように構成されたカバー２を電動工具１に装着する手順は例えば以下の如くである。即ち、図２１のように、電動工具１の電源コード１７をその先端部のプラグ側からカバー２に通す。詳細には、電源コード１７をカバー２の下方開口部３６から後方開口部３９へと通して、カバー２を電源コード１７の先端側から基端側へと誘導していく。そして、そのままグリップ部２４をカバー２の下方開口部３６に挿入するようにしてカバー２を電動工具１の把持部２０に被せていく。まずは、グリップ部２４に筒状カバー部３４を被せる。次に、グリップ部２４に筒状カバー部３４を嵌めた状態で、カバー２を前側に引っ張って下方開口部３６を拡げるようにしながら上部把持部２３に上部カバー部３３を被せる。一方、電動工具１からカバー２を取り外す際には、上述したのと逆の手順で行えばよい。即ち、カバー２の前部を上方に引き上げるようにして上部把持部２３から上部カバー部３３を外し、その後、筒状カバー部３４をグリップ部２４から後側に抜くようにして取り外す。そして、電源コード１７のプラグ側からカバー２を抜けばよい。
【００３３】
このように、ゴム製のカバー２の伸縮性を利用することによって電動工具１の把持部２０にカバー２を容易に取り付けることができ、また取り外すことができる。そのため、例えば長期の使用によってカバー２が劣化したり汚れたりした場合には、古くなったカバー２を電動工具１から取り外して新しいカバー２を電動工具１に取り付ければよい。
【００３４】
電源コード１７がグリップ部２４の後端部から延びていて、その電源コード１７を介してカバー２を取り付けることができるので、電源コード１７を取付の際のガイドとして使用することができ、カバー２を電動工具１のグリップ部２４から容易に取り付けることができる。また、グリップ部２４が前側に向けて徐々に太くなっているので、カバー２がゴム製であっても筒状カバー部３４をグリップ部２４にスムーズに被せることができる。そして、筒状カバー部３４をグリップ部２４に被せたうえで上部カバー部３３を引っ張るようにして下方開口部３６を拡げながら上部把持部２３に被せることができる。従って、カバー２を容易に伸張状態にして取り付けることができると共に、カバー２を把持部２０に確実且つ容易に密着させることができる。例えば、左手で電動工具１を押さえつつ、右手でカバー２を電動工具１の前側に向けて引き伸ばすようにしながら被せることができる。また、上部把持部２３の前部が胴部２１に対して前側に突出しているので、胴部２１から前側に突出している上部把持部２３の前部に上部カバー部３３を引っ掛けるようにして、カバー２を把持部２０に取り付けることができる。
【００３５】
カバー２を電動工具１に取り付けた状態を図１６〜図２０に示している。図１６〜図１８に示しているように、カバー２は、把持部２０の略全体を覆う。把持部２０のうち、ＯＮ／ＯＦＦスイッチ１６とその周辺部分、及び、グリップ部２４の後端部特には後端部の上部がカバー２で覆われないものの、それ以外の部分の全体がカバー２で覆われる。また、カバー２の下方開口部３６の開口縁部は胴部２１の上端部又は把持部２０の下端部あるいはその近傍に位置する。
【００３６】
そして、カバー２の下方開口部３６の内周面に環状の突条３８が形成されているので、カバー２の下方開口部３６の開口縁部が局所的に肉厚となり、下方開口部３６の開口縁部が破れにくくなるうえに、把持部２０の下端部あるいは胴部２１の上端部にカバー２の下方開口部３６の開口縁部がしっかりと密着して、カバー２のずれが防止される。しかも、図１９のように胴部２１と把持部２０の境界部分であって左右両側部に括れ部２５がそれぞれ形成されていてその括れ部２５にカバー２の環状の突条３８が食い込むように密着するので、カバー２がより一層位置ずれしにくくなり、安定して把持できる。
【００３７】
また、図２０のようにグリップ部２４はその全周に亘って筒状カバー部３４で覆われることになる。作業時には主としてグリップ部２４が強く把持されることになるが、グリップ部２４が全周に亘って筒状カバー部３４で覆われているので、筒状カバー部３４を介してグリップ部２４をしっかりと握ることができる。また、上部カバー部３３よりも筒状カバー部３４の方が、取り付けた際の伸び率が大きいので、上部カバー部３３よりも筒状カバー部３４の方が高い密着性が得られる。従って、グリップ部２４を強く把持しても筒状カバー部３４がグリップ部２４に対してずれにくい。
【００３８】
また更に、図１８に示しているように、装着状態において、グリップ部２４の段差部２７に筒状カバー部３４の後方開口部３９の内周面の斜状係止部４１と係止突条４２が係止する。従って、グリップ部２４に対する筒状カバー部３４の前側への位置ずれが確実に防止される。特に、カバー２の装着時にグリップ部２４に筒状カバー部３４を被せた状態でカバー２を前側に引っ張るが、その際に、カバー２の斜状係止部４１と係止突条４２がグリップ部２４の段差部２７に引っ掛かるので、カバー２を前側に容易に伸張させて、上部把持部２３に上部カバー部３３を被せることができる。
【００３９】
そして、把持部２０にゴム製のカバー２を装着することにより、研磨作業において電動工具１が振動しても把持部２０をしっかりと把持することができる。本実施形態の電動工具１は片手用のものであるため、例えば、一方の手である右手でグリップ部２４から上部把持部２３を上側から把持するようにして作業することができる。その際、更に、他方の手である左手で上部把持部２３の上面を押させるようにして作業することもできる。何れにしても、把持部２０にはゴム製のカバー２が取り付けられているので、電動工具１をしっかりと押さえながら研磨作業を行うことができる。
【００４０】
電動工具１の把持部２０には多数の吸気口１４が設けられていたりするため、その表面には凹凸が多い。また、ハウジング１１は硬質の合成樹脂から構成されている。従って、電動工具１の把持部２０を直接把持すると、滑りやすく、しかも、表面の凹凸によって把持しにくい。それに対して、ゴム製のカバー２を取り付けた状態では、電動工具１の把持部２０の凹凸がゴム製のカバー２によって覆われることになり、その凹凸の影響を受けずに把持することができる。しかも、カバー２がゴム製であるので滑りにくく、しっかりと把持することができる。また、カバー２がゴム製であるので、電動工具１の振動も手に伝わりにくく、疲れにくくなる。尚、カバー２の外面に滑り止め用の突条５１が形成されているので、より一層滑りにくい。
【００４１】
その一方、カバー２には把持部２０の吸気口１４に対応して通気口５０が形成されているので、カバー２を装着していてもハウジング１１内への空気の流入は維持される。尚、通気口５０を丸型とすることで、カバー２が破れにくいという利点がある。また、ＯＮ／ＯＦＦスイッチ１６がカバー２で覆われずに露出しているので、ＯＮ／ＯＦＦスイッチ１６の位置、その存在を容易に把握でき、しかも、ＯＮ／ＯＦＦスイッチ１６をダイレクトに押圧操作することができる。
【００４２】
また、カバー２の内面には多数の凸部５２，５３が形成されているので、凸部５２，５３と凸部５２，５３の間に空間が生じ、その空間によって振動が手に伝わりにくくなり、疲れにくくなる。特に、凸部５２，５３が主としてカバー２の上部内面に形成されているので、電動工具１を上から押さえるようにして研磨作業を行う際の振動が手に伝わりにくい。一方、カバー２の内面の下半分領域には凸部５２，５３が形成されていないので、カバー２の下半分領域の伸縮性は低下せず、従って、カバー２を容易に伸縮させて着脱できる。また、凸部５２，５３が突条リブ５２や円筒状リブ５３というようにリブ形状で連続しているので、独立した島状のものに比してカバー２の上部の剛性が高く、ゴム製であっても安定した操作感が得られる。
【００４３】
尚、筒状カバー部３４の後端部下部に鍔部４３が形成されているので、その鍔部４３に指を引っ掛けることができる。例えば、電動工具１を持ち運ぶ際に鍔部４３に指を引っ掛けることで楽に持ち運びできる。また、カバー２を表裏逆にして、いわゆるリバーシブルとして使用することも可能である。
【００４４】
尚、本実施形態ではグリップ部２４の端部から電源コード１７が延びていたが、グリップ部２４とは別の箇所から電源コード１７が延びていてもよい。その場合、カバー２は電源コード１７を通す必要はなく、グリップ部２４に直接筒状カバー部３４を嵌めるようにすればよい。また、電源コード１７のないバッテリタイプであってもよい。
【００４５】
更に、把持部２０の構成も種々変更可能であって、グリップ部２４のない構成であってもよく、例えば把持部２０ではない棒状の延伸部が外側に向けて延びている構成では、その延伸部にカバー２の一部である被挿通部を引っ掛けて、その状態でカバー２を引き伸ばしつつ上部把持部２３に被せる構成であってもよい。被挿通部は延伸部を覆う筒状であってもよいし、環状であってもよい。
【符号の説明】
【００４６】
１    電動工具（工具本体）
２    カバー
１０    モータ
１１    ハウジング
１１ａ  下部ハウジング
１１ｂ  上部ハウジング
１２    研磨プレート
１３    主軸
１４    吸気口
１５    排気口
１６    ＯＮ／ＯＦＦスイッチ
１７    電源コード
１８    コードホルダ
２０    把持部
２１    胴部
２２    スカート部
２３    上部把持部
２４    グリップ部
２５    括れ部
２６    開口部
２７    段差部
３３    上部カバー部
３４    筒状カバー部
３５    スイッチ用開口部
３６    下方開口部
３８    突条
３９    後方開口部
４１    斜状係止部
４２    係止突条
４３    鍔部
５０    通気口
５１    滑り止め用の突条
５２    突条リブ（凸部）
５３    円筒状リブ（凸部）
【図１】
0006650743.tif 000002
【図２】
0006650743.tif 000003
【図３】
0006650743.tif 000004
【図４】
0006650743.tif 000005
【図５】
0006650743.tif 000006
【図６】
0006650743.tif 000007
【図７】
0006650743.tif 000008
【図８】
0006650743.tif 000009
【図９】
0006650743.tif 000010
【図１０】
0006650743.tif 000011
【図１１】
0006650743.tif 000012
【図１２】
0006650743.tif 000013
【図１３】
0006650743.tif 000014
【図１４】
0006650743.tif 000015
【図１５】
0006650743.tif 000016
【図１６】
0006650743.tif 000017
【図１７】
0006650743.tif 000018
【図１８】
0006650743.tif 000019
【図１９】
0006650743.tif 000020
【図２０】
0006650743.tif 000021
【図２１】
0006650743.tif 000022